(57)【特許請求の範囲】
【請求項１】
第１の移動局から第２の移動局へディジタルデータを伝送するネットワークを利用し、ディジタルデータの受信を行う移動局において、
第１の通信ネットワーク内での伝送のため、第１の移動局により第１段階でディジタルデータを符号化し、次に第２段階で該ディジタルデータをチャネル符号化し、
前記の第１段階および第２段階で符号化されたディジタルデータを前記第１の通信ネットワークの伝送チャネルを介して中間局へ伝送し、
該中間局により、前記第２段階でチャネル符号化されたディジタルデータを復号化し、
第２の通信ネットワーク内での伝送のため、前記中間局により前記ディジタルデータをチャネル符号化し、
前記第２の通信ネットワークの伝送チャネルを介して、チャネル符号化された前記ディジタルデータを第２の移動局へ伝送し、
前記中間局からシグナリングデータを伝送し、該シグナリングデータは、前記第１段階でのディジタルデータの符号化形式に関する情報を含み、
前記中間局においてチャネル符号化されたディジタルデータをチャネル復号化し、
チャネル復号化されたディジタルデータチャネルを、受信した前記シグナリングデータに依存して、情報源復号化する移動局。
【請求項２】
前記中間局は、チャネル復号化されたディジタルデータに対し前記シグナリングデータを付加して、前記第２の通信ネットワークにおける伝送のためにビット流を生成し、
前記ビット流におけるディジタルデータとシグナリングデータを、前記中間局によりチャネル符号化し、
前記ビット流におけるディジタルデータおよびシグナリングデータを、前記第２の通信ネットワークにおける伝送チャネルを介して前記移動局に伝送し、
前記移動局は、前記ビット流におけるディジタルデータおよびシグナリングデータをチャネル復号化し、
第２段階でチャネル復号化されたディジタルデータを、チャネル復号化されたシグナリングデータに依存して情報源復号化する、請求項１記載の移動局。
【請求項３】
第１の通信ネットワークにおけるディジタルデータを第１の移動無線規格に従い伝送し、
該ディジタルデータをそれぞれ第１段階および第２段階で情報源符号化およびチャネル符号化し、
第２の通信ネットワークにおけるディジタルデータをチャネル符号化し、第２の移動無線規格に従いシグナリングデータといっしょに伝送し、
該シグナリングデータは、前記第１の移動無線規格による前記第１段階でのディジタルデータの符号化形式に関する情報を含み、
前記第２段階で符号化され、前記移動局が復号化したディジタルデータを、前記シグナリングデータの評価に応じて前記第１の移動無線規格に従い復号化する、請求項１記載の移動局。
【請求項４】
前記第１の移動無線規格はGlobal System for Mobile Communications GSMであり、前記第２の移動無線規格はUniversal Mobile Telecommunications System UMTSである、請求項３記載の移動局。
【請求項５】
第１の移動局では、ＧＳＭ規格 ITU-T G.729による音声符号化器によりディジタルデータを情報源符号化し、第２の移動局では第１の移動無線規格による音声復号化器によりディジタルデータを情報源復号化する、請求項３記載の移動局。
【請求項６】
第１の移動局では、ＧＳＭ規格もしくはＵＭＴＳ規格による音声符号化器によりディジタルデータを情報源符号化し、第２の移動局ではＵＭＴＳ規格もしくはＧＳＭ規格による音声復号化器によりディジタルデータを情報源復号化する、請求項３記載の移動局。
【請求項７】
第１の移動局から第２の移動局へディジタルデータを伝送するネットワークを利用し、ディジタルデータの受信を行う移動局において、
第１の通信ネットワーク内での伝送のため、第１の移動局により第１段階でディジタルデータを符号化し、次に第２段階で該ディジタルデータをチャネル符号化し、
前記の第１段階および第２段階で符号化されたディジタルデータを前記第１の通信ネットワークの伝送チャネルを介して中間局へ伝送し、
該中間局により、前記第２段階でチャネル符号化されたディジタルデータをチャネル復号化し、
第２の通信ネットワーク内での伝送のため、前記中間局により前記ディジタルデータをチャネル符号化し、次に前記第２の通信ネットワークの伝送チャネルを介して、チャネル符号化された前記ディジタルデータを第２の移動局へ伝送し、
該第２の移動局へ前記中間局からシグナリングデータを伝送し、該シグナリングデータは、前記第１段階でのディジタルデータの符号化形式に関する情報を含み、
前記第２の移動局において、前記中間局においてチャネル符号化されたディジタルデータをチャネル復号化し、
前記第１段階で符号化されたディジタルデータを、該第２の移動局が受信した前記シグナリングデータに依存して、復号化することを特徴とする移動局。
【請求項８】
第２段階でチャネル符号化され前記中間局において復号化されたディジタルデータに対し前記シグナリングデータを付加して、前記第２の通信ネットワークにおける伝送のためにビット流を生成し、
前記ビット流におけるディジタルデータとシグナリングデータを、前記中間局により符号化し、
前記ビット流におけるディジタルデータおよびシグナリングデータを、前記第２の通信ネットワークにおける伝送チャネルを介して前記第２の移動局へ伝送し、
該第２の移動局により、前記ビット流における第２段階で符号化されたディジタルデータおよびシグナリングデータを復号化し、
第１段階で符号化され前記第２の移動局により第２段階でチャネル復号化されたディジタルデータを、該第２の移動局が復号化したシグナリングデータに依存して、該第２の移動局により復号化する、請求項7記載の移動局
【請求項９】
第１の通信ネットワークにおけるディジタルデータを第１の移動無線規格に従い伝送し、
該ディジタルデータを第１段階および第２段階で情報源符号化およびチャネル符号化し、
第２の通信ネットワークにおいて符号化されたディジタルデータをチャネル符号化し、第２の移動無線規格に従いシグナリングデータといっしょに伝送し、
該シグナリングデータは、前記第１の移動無線規格による前記第１段階でのディジタルデータの符号化形式に関する情報を含み、
前記第２段階でチャネル符号化され前記第２の移動局によりチャネル復号化されたディジタルデータを、前記シグナリングデータの評価に応じて前記第１の移動無線規格に従い該第２の移動局により復号化する、請求項７記載の移動局
【請求項１０】
前記第１の移動無線規格はGlobal System for Mobile Communications GSMであり、前記第２の移動無線規格はUniversal Mobile Telecommunications System UMTSである、請求項９記載の移動局。
【請求項１１】
第１の移動局では、ＧＳＭ規格 ITU-T G.729による音声符号化器によりディジタルデータを情報源符号化し、第２の移動局では第１の移動無線規格による音声復号化器によりディジタルデータを情報源復号化する、請求項7記載の移動局。
【請求項１２】
前記シグナリングデータを１回または複数回、別個のコントロールチャネルを介して中間局から受信する、請求項１または７記載の移動局。
【請求項１３】
前記第１段階におけるディジタルデータの符号化形式に関する情報を含む前記シグナリングデータとともに、前記第１の移動局からの呼出番号を受信する、請求項１、２、７または８記載の移動局。
【請求項１４】
前記ディジタルデータとしてビデオデータ、オーディオデータ、テキストデータ、音声データのうち少なくとも１つのデータを受信する、請求項１または７記載の移動局。
【請求項１５】
第１の移動局から第２の移動局へディジタルデータを伝送するネットワークを構成する中間局において、
第１の通信ネットワーク内での伝送のため、第１の移動局によりディジタルデータは第１段階で符号化され、次に第２段階で該ディジタルデータがチャネル符号化され、
前記の第１段階および第２段階で符号化されたディジタルデータが前記第１の通信ネットワークの伝送チャネルを介して中間局へ伝送され、
該中間局は、前記第２段階で符号化されたディジタルデータチャネルを復号し、
第２の通信ネットワーク内での伝送のため、前記中間局により前記ディジタルデータをチャネル符号化し、
前記中間局は該第２の移動局へのシグナリングデータを生成し、該シグナリングデータは、前記第１段階でのディジタルデータの符号化形式に関する情報を含み、
前記第２の通信ネットワークの伝送チャネルを介して、該シグナリングデータと共にチャネル符号化された前記ディジタルデータを第２の移動局へ伝送する中間局。
【請求項１６】
第１の移動局から第２の移動局へディジタルデータを伝送するネットワークを構成する中間局において、
第１の通信ネットワーク内での伝送のため、第１の移動局によりディジタルデータは第１段階で符号化され、次に第２段階で該ディジタルデータがチャネル符号化され、
前記の第１段階および第２段階で符号化されたディジタルデータが前記第１の通信ネットワークの伝送チャネルを介して中間局へ伝送され、
該中間局は、前記第２段階でチャネル符号化されたディジタルデータを復号化し、
第２の通信ネットワーク内での伝送のため、前記中間局により前記ディジタルデータをチャネル符号化し、チャネル符号化されたディジタルデータを前記第２の通信ネットワークを介して前記第２の移動局へ伝送し、
前記中間局は該第２の移動局へのシグナリングデータを準備し、該シグナリングデータは、前記第１段階でのディジタルデータの符号化形式に関する情報を含み、
前記中間局においてチャネル符号化されたディジタルデータを前記第２の移動局によってチャネル復号化し、
チャネル符号化された前記ディジタルデータを前記シグナリングデータに依存して前記第２の移動局によって情報源復号化するように構成されている中間局。
【請求項１７】
チャネル復号化されたディジタルデータに対して、前記中間局において前記シグナリングデータを付加して、前記第２の通信ネットワークにおける伝送のためにビット流を生成し、
前記ビット流におけるディジタルデータとシグナリングデータを、前記中間局によりチャネル符号化し、
前記ビット流におけるディジタルデータおよびシグナリングデータを、前記第２の通信ネットワークにおける伝送チャネルを介して前記第２の移動局へ伝送し、
該第２の移動局により、前記ビット流におけるディジタルデータおよびシグナリングデータをチャネル復号化し、
第２段階でチャネル復号化されたディジタルデータを、該第２の移動局が復号化したシグナリングデータに依存して情報源復号化するよう構成されている、請求項１６記載の中間局。
【請求項１８】
前記第１の通信ネットワークの伝送チャネルを介して伝送する前記ディジタルデータを第１の移動無線規格に従い形成し、該ディジタルデータはそれぞれ第１段階および第２段階で情報源符号化およびチャネル符号化されており、
前記第２の通信ネットワークの伝送チャネルを介して伝送する前記ディジタルデータはチャネル符号化されており、第２の移動無線規格に従い前記シグナリングデータとともに準備され、
該シグナリングデータは、前記第１の移動無線規格による前記第１段階でのディジタルデータの符号化形式に関する情報を含み、
前記第２段階で符号化され、該第２段階で前記第２の移動局によって復号化可能なディジタルデータを、前記シグナリングデータの評価に応じて前記第１の移動無線規格に従い復号化する、請求項１６記載の中間局。
【請求項１９】
前記第１の移動無線規格はGlobal System for Mobile Communications GSMであり、前記第２の移動無線規格はUniversal Mobile Telecommunications System UMTSである、請求項１８記載の中間局。
【請求項２０】
前記ディジタルデータを、前記第１の移動無線規格に従い、ＧＳＭ規格 ITU-T G.729による音声復号化器により情報源復号化し、前記第２の移動無線規格に従い、第１の移動無線規格による音声符号化器により情報源符号化する、請求項１５または１８記載の中間局。
【請求項２１】
前記ディジタルデータを、前記第１の移動無線規格に従い、ＧＳＭ規格もしくはＵＭＴＳ規格による音声復号化器により情報源復号化し、前記第２の移動無線規格に従い、ＵＭＴＳ規格もしくはＧＳＭ規格による音声符号化器により情報源符号化する、請求項１５または１８記載の中間局。
【請求項２２】
中間局は、ＧＳＭ規格もしくはＵＭＴＳ規格による情報源符号化およびチャネル符号化されたディジタルデータを受信し、ＵＭＴＳ規格もしくはＧＳＭ規格によるチャネル符号化したディジタルデータを送信する、請求項１５または１８記載の中間局。
【請求項２３】
第１の移動局から第２の移動局へディジタルデータを伝送するネットワークを構成する中間局において、
第１の通信ネットワーク内での伝送のため、第１の移動局により第１段階でディジタルデータを符号化し、次に第２段階で該ディジタルデータをチャネル符号化し、前記の第１段階および第２段階で符号化されたディジタルデータを前記第１の通信ネットワークの伝送チャネルを介して中間局へ伝送し、
該中間局により、前記第２段階でチャネル符号化されたディジタルデータを、前記第１段階の符号化を維持したままチャネル復号化し、
第２の通信ネットワーク内での伝送のため、前記中間局により前記ディジタルデータをチャネル符号化し、前記第２の通信ネットワークの伝送チャネルを介して、チャネル符号化された前記ディジタルデータを第２の移動局へ伝送し、
前記中間局は前記第２の移動局に送信すべきシグナリングデータを準備し、該シグナリングデータは、前記第１段階でのディジタルデータの符号化形式に関する情報を含み、
前記第２の移動局において、前記中間局においてチャネル符号化されたデータをチャネル復号化し、
前記第１段階で符号化されたディジタルデータを、該第２の移動局が受信した前記シグナリングデータに依存して、復号化するよう構成されていることを特徴とする中間局。
【請求項２４】
第２段階でチャネル符号化され、前記中間局において復号化されたディジタルデータに対し前記シグナリングデータを付加して、前記第２の通信ネットワークにおける伝送のためにビット流を生成し、
前記ビット流におけるディジタルデータとシグナリングデータを、前記中間局により符号化し、
前記ビット流におけるディジタルデータおよびシグナリングデータを、前記第２の通信ネットワークにおける伝送チャネルを介して前記第２の移動局へ伝送し、
該第２の移動局により、前記ビット流における第２段階で符号化されたディジタルデータおよびシグナリングデータを復号化し、
第１段階で符号化され、前記第２の移動局により第２段階でチャネル復号化可能なディジタルデータを、該第２の移動局が受信したシグナリングデータに依存して、該第２の移動局により復号化するよう構成されている、請求項２３記載の中間局。
【請求項２５】
第１段階および第２段階で情報源符号化およびチャネル符号化されているディジタルデータを、第１の通信ネットワークの伝送チャネルを介して第１の移動無線規格に従い受信可能であり、
符号化されたディジタルデータを、第２の通信ネットワークの伝送チャネルを介して伝送するためにチャネル符号化し、第２の移動無線規格に従い前記シグナリングデータとともに伝送可能であり、
該シグナリングデータは、前記第２段階でチャネル符号化され前記第２の移動局によりチャネル復号化されたディジタルデータを、前記シグナリングデータの評価に応じて前記第１の移動無線規格に従い該第２の移動局により復号化するために、前記第１の移動無線規格による前記第１段階でのディジタルデータの符号化形式に関する情報を含む、請求項２３記載の中間局。
【請求項２６】
前記第１の移動無線規格はGlobal System for Mobile Communications GSMであり、前記第２の移動無線規格はUniversal Mobile Telecommunications System UMTSである、請求項２５記載の中間局。
【請求項２７】
第１の移動局では、ＧＳＭ規格 ITU-T G.729による音声符号化器によりディジタルデータを情報源符号化し、第２の移動局では第１の移動無線規格による音声復号化器によりディジタルデータを情報源復号化する、請求項２５記載の中間局。
【請求項２８】
前記第２の移動局へ伝送するための中間局の別個のコントロールチャネルを介して、前記シグナリングデータを１回または複数回生成する、請求項１５、１６または２３記載の中間局。
【請求項２９】
前記第１段階におけるディジタルデータの符号化形式に関する情報を含む前記シグナリングデータに対して、前記第１の移動局の呼出番号を付加する、請求項１５、１６、１７、２３または２４記載の中間局。
【請求項３０】
前記ディジタルデータとしてビデオデータ、オーディオデータ、テキストデータ、音声データのうち少なくとも１つのデータを伝送可能である、請求項１５、１６または２３記載の中間局。
【発明の詳細な説明】
【技術分野】
【０００１】
本発明は、第１の移動局から第２の移動局へディジタルデータを伝送するネットワークを利用し、ディジタルデータの受信を行う移動局および第１の移動局から第２の移動局へディジタルデータを伝送するネットワークを構成する中間局に関する。
【背景技術】
【０００２】
第１の移動局から第２の移動局へのディジタル有効データの伝送方法についてはすでに知られており、たとえばＧＳＭ（Global System for Mobile Communications）規格に従い実現されている。
【発明の開示】
【発明が解決しようとする課題】
【０００３】
本発明の課題は、それぞれ異なる移動無線規格に従い実現されている無線インタフェースにより、ディジタルデータを伝送するネットワークを利用して、ディジタルデータの受信を行う移動局、ならびにその種のネットワークを構成する中間局を提供することである。
【課題を解決するための手段】
【０００４】
移動局に関する課題は、第１の通信ネットワーク内での伝送のため、第１の移動局により第１段階でディジタルデータを符号化し、次に第２段階で該ディジタルデータをチャネル符号化し、前記の第１段階および第２段階で符号化されたディジタルデータを前記第１の通信ネットワークの伝送チャネルを介して中間局へ伝送し、該中間局により、前記第２段階でチャネル符号化されたディジタルデータを復号化し、第２の通信ネットワーク内での伝送のため、前記中間局により前記ディジタルデータをチャネル符号化し、前記第２の通信ネットワークの伝送チャネルを介して、チャネル符号化された前記ディジタルデータを第２の移動局へ伝送し、前記中間局からシグナリングデータを伝送し、該シグナリングデータは、前記第１段階でのディジタルデータの符号化形式に関する情報を含み、前記中間局においてチャネル符号化されたディジタルデータをチャネル復号化し、チャネル復号化されたディジタルデータチャネルを、受信した前記シグナリングデータに依存して、情報源復号化することにより解決される。またこの課題は、第１の通信ネットワーク内での伝送のため、第１の移動局により第１段階でディジタルデータを符号化し、次に第２段階で該ディジタルデータをチャネル符号化し、前記の第１段階および第２段階で符号化されたディジタルデータを前記第１の通信ネットワークの伝送チャネルを介して中間局へ伝送し、該中間局により、前記第２段階でチャネル符号化されたディジタルデータをチャネル復号化し、第２の通信ネットワーク内での伝送のため、前記中間局により前記ディジタルデータをチャネル符号化し、次に前記第２の通信ネットワークの伝送チャネルを介して、チャネル符号化された前記ディジタルデータを第２の移動局へ伝送し、該第２の移動局へ前記中間局からシグナリングデータを伝送し、該シグナリングデータは、前記第１段階でのディジタルデータの符号化形式に関する情報を含み、前記第２の移動局において、前記中間局においてチャネル符号化されたディジタルデータをチャネル復号化し、前記第１段階で符号化されたディジタルデータを、該第２の移動局が受信した前記シグナリングデータに依存して、復号化することにより解決される。
【０００５】
中間局に関する課題は、第１の通信ネットワーク内での伝送のため、第１の移動局によりディジタルデータは第１段階で符号化され、次に第２段階で該ディジタルデータがチャネル符号化され、前記の第１段階および第２段階で符号化されたディジタルデータが前記第１の通信ネットワークの伝送チャネルを介して中間局へ伝送され、該中間局は、前記第２段階で符号化されたディジタルデータチャネルを復号し、第２の通信ネットワーク内での伝送のため、前記中間局により前記ディジタルデータをチャネル符号化し、前記中間局は該第２の移動局へのシグナリングデータを生成し、該シグナリングデータは、前記第１段階でのディジタルデータの符号化形式に関する情報を含み、前記第２の通信ネットワークの伝送チャネルを介して、該シグナリングデータと共にチャネル符号化された前記ディジタルデータを第２の移動局へ伝送することにより解決される。さらにこの課題は、第１の通信ネットワーク内での伝送のため、第１の移動局によりディジタルデータは第１段階で符号化され、次に第２段階で該ディジタルデータがチャネル符号化され、前記の第１段階および第２段階で符号化されたディジタルデータが前記第１の通信ネットワークの伝送チャネルを介して中間局へ伝送され、該中間局は、前記第２段階でチャネル符号化されたディジタルデータを復号化し、第２の通信ネットワーク内での伝送のため、前記中間局により前記ディジタルデータをチャネル符号化し、チャネル符号化されたディジタルデータを前記第２の通信ネットワークを介して前記第２の移動局へ伝送し、前記中間局は該第２の移動局へのシグナリングデータを準備し、該シグナリングデータは、前記第１段階でのディジタルデータの符号化形式に関する情報を含み、前記中間局においてチャネル符号化されたディジタルデータを前記第２の移動局によってチャネル復号化し、チャネル符号化された前記ディジタルデータを前記シグナリングデータに依存して前記第２の移動局によって情報源復号化するように構成されていることにより解決される。
【０００６】
中間局に関する課題は、第１の通信ネットワーク内での伝送のため、第１の移動局により第１段階でディジタルデータを符号化し、次に第２段階で該ディジタルデータをチャネル符号化し、前記の第１段階および第２段階で符号化されたディジタルデータを前記第１の通信ネットワークの伝送チャネルを介して中間局へ伝送し、該中間局により、前記第２段階でチャネル符号化されたディジタルデータを、前記第１段階の符号化を維持したままチャネル復号化し、第２の通信ネットワーク内での伝送のため、前記中間局により前記ディジタルデータをチャネル符号化し、前記第２の通信ネットワークの伝送チャネルを介して、チャネル符号化された前記ディジタルデータを第２の移動局へ伝送し、前記中間局は前記第２の移動局に送信すべきシグナリングデータを準備し、該シグナリングデータは、前記第１段階でのディジタルデータの符号化形式に関する情報を含み、前記第２の移動局において、前記中間局においてチャネル符号化されたデータをチャネル復号化し、前記第１段階で符号化されたディジタルデータを、該第２の移動局が受信した前記シグナリングデータに依存して、復号化するよう構成されていることにより解決される。
【発明を実施するための最良の形態】
【０００７】
第１の通信ネットワークにおける有効データが第１の移動無線規格に従い、たとえばＧＳＭ規格（Global System for Mobile Communications）に従い、第１段階および第２段階で符号化されて伝送され、たとえば情報源符号化およびチャネル符号化されて伝送され、第２の通信ネットワークにおける有効データが第２の移動無線規格に従い、たとえばＵＭＴＳ規格（Universal Mobile Telecommunications System）に従い、シグナリングデータといっしょに第２段階で符号化されて伝送され、たとえばチャネル符号化されて伝送され、前記シグナリングデータは、第１の移動無線規格による第１段階での有効データの符号化に関する情報を含み、前記第２の移動局により第２段階で復号されたとえばチャネル復号された有効データが、第１の移動無線規格についてのシグナリングデータの評価に応じて該第２の移動局により第１段階で復号され、たとえば情報源復号される。
【０００８】
このようにすれば、それぞれ異なる移動無線規格に従い実現されている無線インタフェースにより、各移動局間で有効データを伝送することができる。そしてこれによれば、有効データを受け取る第２の移動局が第１の規格に従い第１段階での受信有効データを復号できることを前提として、第１段階での符号化のための符号に関する有効データの符号変換が不要となる。
【０００９】
従属請求項に記載の構成により、請求項２記載の方法、請求項４記載の移動局および請求項７記載の移動体通信システムの有利な実施形態が可能となる。
【実施例】
【００１０】
図１には参照符号１により第１の移動局が表されており、これは第１の移動無線規格に従って実現されている。ここで第１の移動無線規格を、たとえばＧＳＭ（Global System for Mobile Communications）とすることができる。第１の移動局１は、以下ではＧＳＭ移動局として構成されているものとする。図中には第１の移動局１のうち、本発明による方法の説明に必要とされる機能ブロックだけしか描かれていない。この場合、第１の移動局１は、第１段階の符号化のために情報源符号化器として構成された符号化器２５を有しており、これは第１の移動無線規格この実施例ではＧＳＭ規格に従って構成されている。情報源符号化器２５は、第２段階の符号化のためにチャネル符号化器として構成された第１の符号化器３５（これも第１の移動無線規格に従って実現されている）を介して、第１の送受信ユニット４０と接続されており、このユニットに送受信アンテナ４５が接続されている。第１の送受信アンテナ４５から無線信号を第１の移動無線規格に従い、この実施例ではＧＳＭネットワークとして構成されている第１の通信ネットワーク１０を介して、中間局１５の第２の送受信アンテナ４５へ伝送することができる。
【００１１】
ここで中間局１５は第２の送受信ユニット５５を有しており、このユニットには第２の送受信アンテナ５０が接続されている。第２の送受信ユニット５５は、第２段階における復号のためにチャネル復号器として構成された第１の復号器６０と接続されており、この復号器は中間局１５の制御部６５と接続されている。制御部６５は、第２段階の符号化のためにチャネル符号化器として構成された第２の符号化器を介して、中間局１５の第３の送受信ユニット７５と接続されており、このユニットには第３の送受信アンテナ８０が接続されている。第３の送受信アンテナ８０からは無線信号が、第２の無線規格に従い第２の通信ネットワーク２０を介して第２の移動局５へ伝送される。この場合、第２の移動無線規格をたとえばＵＭＴＳ規格（Universal Mobile Telecommunications System）とすることができる。
【００１２】
この図では中間局１５についても、本発明による方法の説明に必要とされる機能ブロックしか描かれていない。同じことは第２の移動局５についてもあてはまり、この移動局は送受信アンテナ８５を介して中間局１５から無線信号を受け取る。第２の移動局５は第４の送受信ユニット９０を有しており、このユニットには第４の送受信アンテナ８５が接続されている。さらに第４の送受信ユニット９０は、第２段階の復号のためにチャネル復号器として構成された第２の復号器９５と接続されており、この復号器には評価ユニット１００が接続されている。第２のチャネル復号器９５は評価ユニット１００により制御可能なスイッチ１０５を介して、第１段階の復号のために情報源復号器として構成された第１の復号器３０と、あるいは第１段階の復号のために情報源復号器として構成された第２の復号器１１０と接続可能である。その際、第１の情報源復号器３０は第１の移動無線規格に従って実現され、第２の情報源復号器１１０は第２の移動無線規格に従って実現されている。以下では、第２の移動無線規格について実例としてＵＭＴＳ規格を採用する。したがって第２の移動局５は少なくとも部分的に、ＧＳＭ／ＵＭＴＳ移動局として構成されている。
【００１３】
情報源符号化器２５にはディジタル有効データが供給され、そのようなデータはビデオデータ、オーディオデータ、テキストデータ、音声データおよび／またはその他の任意のデータとすることができる。以下では、第１の移動局１と第２の移動局５との間の有効データの伝送について、音声データの伝送に基づき説明する。この場合、情報源符号化器は第１の移動無線規格による音声符号化器として構成されており、この実施例ではＧＳＭ規格による音声符号化器として構成されている。ここでは音声復号器２５をＧＳＭ規格 ITUT-T G. 729 に基づいて構成することができる。音声符号化器２５は、ＧＳＭ規格に従い音声データとして形成されてそこへ供給される有効データの情報源符号化を行う。このようにして情報源符号化された音声データは第１のチャネル符号器３５へ供給され、これは音声データのチャネル符号化たとえば折り畳み符号化およびブロック符号化をＧＳＭ規格に沿って実行する。そしてこのようにして情報源符号化ならびにチャネル符号化された音声データは、第１の送受信ユニット４０によって第１の送受信アンテナから第１のビット流として、ＧＳＭネットワークとして構成された通信ネットワーク１０の伝送チャネルを介して中間局１５へ伝送される。第２の送受信アンテナ５０により受信されたビット流は、次に第２の送受信ユニット５５により第１のチャネル復号器６０へ供給される。この場合、第１の送受信アンテナ４５は、第２の送受信アンテナ５０とともにいわゆるＧＳＭ無線インタフェースを成している。情報源符号化ならびにチャネル符号化された第１のビット流の音声データは、ついで第１のチャネル復号器６０においてＧＳＭ規格に従いチャネル復号される。このようにしてチャネル復号された音声データは、さらに情報源符号化されて制御部６５へ供給される。
【００１４】
この音声データとともに第１の移動局１から中間局１５へ呼出識別データも伝送され、このデータにより第２の移動局５が、伝送すべき音声データのための宛先加入者として識別される。なお、この呼出識別データはたとえば、第１の移動局１における図示されていない制御部において生成され、第１のチャネル符号化器３５によりチャネル符号化され、第１のビット流において音声データとともに中間局１５へ伝送される。そしてこの呼出識別データは音声データといっしょに第１のチャネル復号器６０によってやはりチャネル復号され、同様に制御部６５へ供給される。呼出識別データを音声データとは別個に１回または複数回、独立したコントロールチャネルを介して伝送することができ、また、この呼出識別データに宛先局としての第２の移動局５の呼出番号を含めることができる。制御部６５によりこの呼出識別データが検出され、そのデータから、第１の移動局１によって伝送すべき音声データのための宛先加入者として第２の移動局５が確定される。これにより制御部６５では、中間局１５から第２の移動局５へ音声データを伝送するために、第２の通信ネットワーク２０内で伝送チャネルを確立すべきであることがわかる。ここで第２の通信ネットワーク２０内での音声データの伝送は第２の移動無線規格に従い行われ、この実施例ではＵＭＴＳ規格に沿って行われる。したがって、第３の送受信アンテナ８０おおび第４の送受信アンテナ８５はＵＭＴＳ無線インタフェースを成す。さらに制御部６５では、第２の移動局５はＧＳＭ規格に従って情報源符号化された有効信号もＵＭＴＳ規格に従って情報源符号化された有効信号も復号できることがわかる。このため制御部６５はＵＭＴＳ規格に従いデータ伝送サービスを選び出し、チャネル符号化されているがＧＳＭ規格に従い情報源符号化された音声データが、ＵＭＴＳ規格に従い第２のビット流中に埋め込まれる。
【００１５】
中間局１５は、ＧＳＭ規格による受信有効データの情報源復号も行える。その場合に有用であるのは、たとえば発呼側である第１の移動局１の呼出番号も呼出識別データによって中間局１５へ伝送し、この呼出番号の検出に依存して制御部６５において、中間局１５での受信有効データの情報源復号を省くことである。
【００１６】
さらに制御部６５により第２のビット流中にシグナリングデータが埋め込まれ、このシグナリングデータには有効データの情報源符号化の形式に関する情報が含まれている。このようにしてシグナリングデータによって、この実施例では音声データとして生じる有効データがＧＳＭ規格に従い情報源符号化されていることが表される。第２のチャネル符号化器７０において、第２のビット流における音声データおよびシグナリングデータは、第２の通信ネットワーク２０において伝送するためＵＭＴＳ規格に従いチャネル符号化され、これはたとえばやはり畳み込み符号化やブロック符号化により行われる。
【００１７】
第３の送受信ユニット７５において、このようにしてチャネル符号化された第２のビット流の音声データおよびシグナリングデータは、この実施例ではＵＭＴＳネットワークとして構成されている第２の通信ネットワークの伝送チャネルを介して、第２の移動局５へ伝送される。ＵＭＴＳ規格に従い制御部６５により選択されたデータ伝送サービスにおいて、さらにＧＳＭ規格により情報源符号化される音声データを伝送するため、伝送品質や伝送データレートが適切に選定されていなければならない。ＵＭＴＳ規格に従いチャネル符号化された音声データならびにシグナリングデータをもつ第２のビット流は、第４の送受信アンテナ８５により受信され、第４の送受信ユニット９０を介して第２のチャネル復号器９５へ供給される。第２のチャネル復号器９５はＵＭＴＳ規格に従い、第２のビット流における音声データならびにシグナリングデータのチャネル復号を実行する。その際、評価ユニット１００はチャネル復号されたシグナリングデータを検出し、このデータには周知のように、第２のビット流における受信音声データの情報源符号化の形式に関する情報が含まれている。
【００１８】
この実施例では評価ユニット１００はチャネル復号された第２のビット流のシグナリングデータから、第２のビット流の音声データはＧＳＭ規格に従い情報源符号化されていることを抽出する。このため評価ユニット１００は、第２のチャネル復号器９５がＧＳＭ規格による音声復号器として構成されている第１の情報源復号器３０と接続されるよう、スイッチ１０５を制御する。評価ユニット１００が受信されチャネル復号された第２のビット流のシグナリングデータから、第２のビット流における音声データがＵＭＴＳ規格に従い情報源符号化されていることを抽出した場合、評価ユニット１００は、破線で図示されているように第２のチャネル復号器９５が第２の情報源復号器１１０と接続されるよう、スイッチ１０５を制御する。この実施例によれば第２のビット流の音声データはＧＳＭ規格に従い情報源符号化されているので、第２のチャネル復号器９５は第１の音声復号器３０と接続され、第２のチャネル復号器９５においてチャネル復号された音声データは、第１の音声復号器３０において情報源復号される。次に、第１の音声復号器３０もしくは第２の音声復号器１１０の出力側に生じるチャネル復号および情報源復号された音声信号は、図示されていないさらに別の機能ブロックに供給されて引き続き処理される。
【００１９】
シグナリングデータを中間局１５から第２の移動局５へ、有効データとは別個に独立したコントロールチャネルを介して１回または複数回にわたり伝送することができ、また、発呼側である第１の移動局１の呼出番号をシグナリングデータに含めることができる。そしてこの呼出番号に基づき評価ユニット１００が、第１の音声復号器３０を第２のチャネル復号器９５とつなぐようにすることができる。
【００２０】
音声データの代わりにまたはそれに加えて有効データとして少なくとも、ビデオデータおよび／または音声データおよび／またはテキストデータを、第１の移動局１から第２の移動局５へ既述のようにして１つのビット流内でいっしょに伝送することができる。第１の通信ネットワーク１０および第２の通信ネットワーク２０における伝送を、たとえば周波数多重または時分割多重により行うことができ、この場合、これら両方の異なる通信ネットワーク１０，２０のために様々な多重化方式を適用することができる。この事例では中間局１５においてたとえば、時分割多重から周波数多重への変換またはその逆の変換を実現することもできる。他の任意の多重化方式またはチャネルアクセス方式を適用することができる。
【００２１】
このように本発明による方法によればたとえば、ＧＳＭ規格に従って情報源符号化された有効データをＵＭＴＳ規格よるデータコネクションを介して伝送することができる。このようにすれば、第３世代の移動無線規格であるＵＭＴＳ規格に対する要求を満たすことができ、第２世代の移動無線規格である既存のＧＳＭ規格に対する後方互換性が保証され、これによってＧＳＭ規格による移動局とＵＭＴＳ規格による移動局との間で有効データを交換できるようになる。本発明による方法によれば、ＧＳＭ規格に従い実現されている移動局とＧＳＭ規格によってもＵＭＴＳ規格によっても実現されているような移動局との間での有効データ伝送が簡単になる。その際、相応の通信ネットワークからＧＳＭ規格によってもＵＭＴＳ規格によっても実現されている移動局へのデータ伝送の一部分のために、ＵＭＴＳ無線インタフェースが利用される。これによればＧＳＭ規格によってもＵＭＴＳ規格によっても実現されている移動局において、ＧＳＭ規格による情報源符号化とＵＭＴＳ規格による情報源符号化との間の符号変換によっても劣化しない品質で有効データが生じる。
【００２２】
第１の通信ネットワーク１０および第２の通信ネットワーク２０をそれぞれ、ＧＳＭネットワークの機能とＵＭＴＳネットワークの機能を合わせもつハイブリッドＧＳＭ／ＵＭＴＳネットワークとして構成できる。
【００２３】
また、第１の通信ネットワーク１０と第２の通信ネットワーク２０が同一であるようにすることもできる。
【００２４】
さらに有効データを、第１の通信ネットワーク１０から１つまたは複数の任意の固定ネットワークならびに必要に応じてそれ相応の中間局を介して第２の通信ネットワーク２０へ伝送し、そこから第２の移動局５へ伝送するように構成してもよい。この場合、有効データの情報源符号化に関する符号変換つまりは情報源復号および新たな情報源符号化は、対応する中間局においては行われず、チャネル復号および必要に応じて新たなチャネル符号化だけが行われる。
【００２５】
第１の移動無線規格として、たとえば北米で制定されている規格 IS95 (Interim Standard 95)、日本で制定されている規格 PDC (Personal Digital Cellular) 等を採用することもできる。
【図面の簡単な説明】
【００２６】
【図１】第１の移動局から中間局を介して第２の移動局へ様々な通信ネットワークを経て有効データを伝送する様子を示すブロック図である。
【図１】
0004518414.tif 000002